(57)【要約】【課題】各ティースに巻回された巻線と巻線とを繋ぐ渡り線の弛み部分を安定して保持できるステータを提供する。【解決手段】第１分割インシュレータ１０に設けた案内保持壁１３の段差面１３ａ，１３ｂに弛み収納部１４ａ，１４ｂを形成した。そして、各相の渡り線Ｌｕ，Ｌｖ，Ｌｗの弛み部分を、その弛み収納部１４ａ，１４ｂ内に収納し、各相の渡り線Ｌｕ，Ｌｖ，Ｌｗの弛み部分が、弛み収納部１４ａ，１４ｂから外部にはみ出すことなく安定な状態に保持されるようにした。【選択図】図１０
2015109719.tif 000002
【特許請求の範囲】
【請求項１】
ティースを有した複数の分割コアを、前記各ティースが径方向内側に向くように環状に連結して構成したステータコアと、
前記各分割コアのティースに装着したインシュレータと、
前記インシュレータを介して前記各ティースに巻回した巻線と
からなるステータであって、
前記インシュレータの軸方向一端の前記ティース基端側には、前記巻線間を繋ぐ渡り線を案内保持する案内保持壁を周方向に沿って形成するとともに、前記案内保持壁の周方向両側に前記渡り線の弛みを収納する弛み収納部を形成したことを特徴とするステータ。
【請求項２】
請求項１に記載のステータにおいて、
前記ステータは、前記インシュレータを装着した各ティースが径方向外側に向くように複数の分割コアを環状に連結された状態で、前記各巻線を径方向外側から前記インシュレータを介して前記各ティースにそれぞれ巻回した後、その複数の分割コアを、前記各ティースが径方向内側に向くように環状に連結して形成されたことを特徴とするステータ。
【請求項３】
請求項１又は２に記載のステータにおいて、
前記案内保持壁の弛み収納部は、前記案内保持壁の周方向両側であって、前記ティース先端側の面及び周方向側面が開口するように形成した収納凹部であり、
周方向両側に形成された一対の収納凹部間には、前記ティース先端側に突出したガイド面が形成されることを特徴とするステータ。
【請求項４】
請求項１〜３のいずれか１項に記載のステータにおいて、
前記インシュレータは、軸方向に２分割された第１分割インシュレータと第２分割インシュレータとからなり、少なくとも第１分割インシュレータ又は第２分割インシュレータのいずれか一方に前記案内保持壁が形成されていることを特徴とするステータ。
【請求項５】
請求項１〜４のいずれか１項に記載のステータにおいて、
前記インシュレータは、前記ティースの数だけ一列に連結され、それらインシュレータ間は、回動可能に屈曲する前記インシュレータと一体形成された連結部にて連結されていることを特徴とするステータ。
【発明の詳細な説明】
【技術分野】
【０００１】
本発明は、ステータに関するものである。
【背景技術】
【０００２】
ブラシレスモータのステータとして、インシュレータに覆われた複数のＴ型分割コアのティースを径方向外側に向けて巻線をそれぞれ巻回した後、各ティースが径方向内側に向くように各Ｔ型分割コアを円環状に配置してステータを形成するようにしたものがある（特許文献１）。
【０００３】
このように形成されたステータは、より多くのターン数の導体を巻けることができ、即ち、巻線の占積率が高く強い電磁力が得られることから、同一体積でのモータにおいて高出力を得ることができる。
【０００４】
複数のＴ型分割コアのティースに巻線を巻回する方法として、隣り合う分割コア同士が互いに回動可能となるように、複数の分割コアを互いに連結した後、連結された複数の分割コアについて、各ティースが径方向外側に向くように環状に配置する。この状態で、径方向外側に向くように配置された各ティースについて、径方向外側から予め定められた順序で巻線を巻回することによって行われる。
【０００５】
そして、各分割コアのティースに巻線が巻回されると、連結された複数の分割コアを、各ティースが径方向内側に向くように環状に配置させることによってステータが形成される。
【先行技術文献】
【特許文献】
【０００６】
【特許文献１】特開２００７−２０２５１号公報
【発明の概要】
【発明が解決しようとする課題】
【０００７】
ところで、連結された複数の分割コアについて、各ティースが径方向外側に向くように環状に配置された状態から、各ティースが径方向内側に向くように環状に配置された状態になるとき、隣接するティースの基端部間の距離が短くなる。
【０００８】
つまり、各ティースが径方向内側に向くように円環状に配置した状態のときの各ティースの基端部間を通過する円周は、各ティースが径方向外側に向くように環状に配置した状態ときの各ティースの基端部間を通過する円周より短くなる。
【０００９】
従って、各ティースが径方向外側に向くように環状に配置された状態から径方向内側に向くように環状に配置された状態になったとき、各ティースに巻回された巻線間を繋ぐ渡り線は弛むことになる。この弛んだ渡り線は、不安定な状態にあって径方向外側にはみ出し飛び出す虞があった。
【００１０】
本発明は、上記課題を解決するためになされたものであって、その目的は、各ティースに巻回された巻線と巻線とを繋ぐ渡り線の弛み部分を安定して保持できるステータを提供することにある。
【課題を解決するための手段】
【００１１】
上記課題を解決するためのステータは、ティースを有した複数の分割コアを、前記各ティースが径方向内側に向くように環状に連結して構成したステータコアと、前記各分割コアのティースに装着したインシュレータと、前記インシュレータを介して前記各ティースに巻回した巻線とからなるステータであって、前記インシュレータの軸方向一端の前記ティース基端側には、前記巻線間を繋ぐ渡り線を案内保持する案内保持壁を周方向に沿って形成するとともに、前記案内保持壁の周方向両側に前記渡り線の弛みを収納する弛み収納部を形成した。
【００１２】
上記ステータによれば、インシュレータに設けた案内保持壁の周方向両側に形成した弛み収納部に渡り線の弛み部分が収納されることから、渡り線の弛み部分は弛み収納部から外部にはみ出すことはなく安定な状態に保持される。
【００１３】
上記ステータにおいて、前記ステータは、前記インシュレータを装着した各ティースが径方向外側に向くように複数の分割コアを環状に連結された状態で、前記各巻線を径方向外側から前記インシュレータを介して前記各ティースにそれぞれ巻回した後、その複数の分割コアを、前記各ティースが径方向内側に向くように環状に連結して形成されたことが好ましい。
【００１４】
上記ステータによれば、各ティースを径方向外側に向いた状態から径方向内側に向いた状態にしたとき、各ティース部が径方向内側に向いたときの各ティース部の基端部を結ぶ円周は、各ティース部が径方向外側に向いていたときの各ティース部の基端部を結ぶ円周より短くなることから渡り線は弛む。この弛み部分は、弛み収納部に収納され外部にはみ出すことはなく安定な状態に保持される。
【００１５】
上記ステータにおいて、前記案内保持壁の弛み収納部は、前記案内保持壁の周方向両側であって、前記ティース先端側の面及び周方向側面が開口するように形成した収納凹部であり、周方向両側に形成された一対の収納凹部間には、前記ティース先端側に突出したガイド面が形成されることが好ましい。
【００１６】
上記ステータによれば、周方向に隣接したインシュレータの収納凹部と協働して弛んだ渡り線の弛んだ部分を収納保持する空間をつくることができる。しかも、ガイド面が径方向内側に突出していることから、渡り線の弛み部分を収納する収納凹部にスムーズに導くことができる。
【００１７】
上記ステータにおいて、前記インシュレータは、軸方向に２分割された第１分割インシュレータと第２分割インシュレータとからなり、少なくとも第１分割インシュレータ又は第２分割インシュレータのいずれか一方に前記案内保持壁が形成されていることが好ましい。
【００１８】
上記ステータによれば、各分割コアは、軸方向一側方から第１分割インシュレータが装着され、軸方向他側方から第２分割インシュレータが装着される。
上記ステータにおいて、前記インシュレータは、前記ティースの数だけ一列に連結され、それらインシュレータ間は、回動可能に屈曲する前記インシュレータと一体形成された連結部にて連結されていることが好ましい。
【００１９】
上記ステータによれば、１度に複数の分割コア全てに第１及び第２分割インシュレータを装着することができる。
【発明の効果】
【００２０】
本発明によれば、渡り線の弛み部分を安定して保持することできる。
【図面の簡単な説明】
【００２１】
【図１】ブラシレスモータの軸方向から見た要部断面図。
【図２】同じく、インシュレータを装着したステータコアの軸方向から見た正面図。
【図３】同じく、ステータコアを展開した斜視図。
【図４】同じく、（ａ）は分割コアの斜視図、（ｂ）は分割コアを構成する第１コア片を軸方向から見た正面図、（ｃ）は分割コアを構成する第２コア片を軸方向から見た正面図。
【図５】同じく、連結した複数の第１及び第２分割インシュレータを展開した斜視図。
【図６】同じく、（ａ）は回動連結部を省略した第１分割インシュレータの要部斜視図、（ｂ）は回動連結部を省略した第２分割インシュレータの要部斜視図。
【図７】同じく、径方向外側を向いた各ティース部に巻線が巻回された状態を説明するための軸方向から見た正面図。
【図８】同じく、巻線が巻回された各ティース部を径方向内側に向かせた状態を説明するための軸方向から見た正面図。
【図９】同じく、径方向外側を向いた各ティース部に巻線が巻回されたときの各相の渡り線の状態を説明するための要部斜視図。
【図１０】同じく、巻線が巻回された各ティース部を径方向内側に向かせたときの各相の渡り線の状態を説明するための要部斜視図。
【発明を実施するための形態】
【００２２】
以下、ブラシレスモータに備えたステータの一実施形態を図面に従って説明する。
図１に示すように、ブラシレスモータ１は、有底円筒状のハウジング２の内周面に固定された円環状のステータ３と、そのステータ３の内側に配置されロータ４（図１では一点鎖線で示す）とを備えている。ロータ４は、回転軸５に固着され、同回転軸５の中心軸線Ｏを回転中心として回転する。ロータ４は、周方向に配置される複数のマグネット（図示略）を有し、そのマグネットがステータ３と径方向に対向配置されるように同ステータ３の内側に配置されている。
【００２３】
ステータ３は、円環状のステータコア７を有し、ステータコア７の外周面がハウジング２の内周面に固定されている。ステータコア７は、電磁鋼板よりなり、ハウジング２の内周面に固定される環状部Ｒと、その環状部Ｒの内周面から径方向内側に延設された１２個のティース部Ｔとを備えている。各ティース部Ｔの先端面は、周方向に湾曲した円弧面であって中心軸線Ｏを中心とする同心円を形成する円弧面となる。
【００２４】
ここで、１２個のティース部Ｔを有したステータコア７について説明する。
図２及び図３に示すように、ステータコア７は、分割構造であって、それぞれ１つのティース部Ｔを有するように周方向に１２分割してなる１２個の分割コア８から構成されている。従って、分割コア８は、１つのティース部Ｔを有するとともに、ティース部Ｔ基端部から周方向両方向に延びた分割環状部８ａしている。
【００２５】
図４（ａ）に示すように、分割コア８は、板状の第１コア片Ｐ１と、第２コア片Ｐ２とが交互に積層されて構成されている。
図４（ｂ）に示すように、第１コア片Ｐ１は、分割環状部８ａを形成する環状片部Ｐ１ａと、ティース部Ｔを形成するティース片部Ｐ１ｂとを有している。一方、図４（ｃ）に示すように、第２コア片Ｐ２は、分割環状部８ａを形成する環状片部Ｐ２ａと、ティース部Ｔを形成するティース片部Ｐ２ｂとを有している。
【００２６】
第１コア片Ｐ１と第２コア片Ｐ２は、軸方向から見て対称形状に形成されている。詳述すると、第１コア片Ｐ１は、その環状片部Ｐ１ａにおいて、その周方向他側に嵌合凸部Ｐ１ｃが形成され、周方向一側に嵌合凹部Ｐ１ｄが形成されている。これに対して、第２コア片Ｐ２は、その環状片部Ｐ２ａにおいて、周方向他側に嵌合凹部Ｐ２ｄが形成され、周方向一側に嵌合凸部Ｐ２ｃが形成されている。
【００２７】
そして、このように構成された第１コア片Ｐ１と第２コア片Ｐ２とが交互に積層されることにより、図４（ａ）に示すように、分割環状部８ａと、ティース部Ｔとを有する分割コア８が形成されている。
【００２８】
このとき、第１コア片Ｐ１と第２コア片Ｐ２とが交互に積層されることにより、分割環状部８ａの周方向他側には、第１コア片Ｐ１の嵌合凸部Ｐ１ｃと第２コア片Ｐ２の嵌合凹部Ｐ２ｄとで凸凹形状の第１被係合部８ｂが形成される。また、分割環状部８ａの周方向一側には、第１コア片Ｐ１の嵌合凹部Ｐ１ｄと第２コア片Ｐ２の嵌合凸部Ｐ２ｃとで凹凸形状の第２被係合部８ｃが形成される。
【００２９】
そして、１つの分割コア８において、分割環状部８ａの周方向一側に形成した凹凸形状の第２被係合部８ｃに対して、周方向一側に隣接する分割コア８であって分割環状部８ａの周方向他側に形成した凸凹形状の第１被係合部８ｂを嵌め込むことによって、２つの分割コア８は互いに連接される。
【００３０】
そして、図３に示すように、１２個の分割コア８の周方向両側が隣接する分割コア８同士で連接されたとき、１２個の分割コア８は環状化される。
なお、１２個の分割コア８の環状化に先立って、１２個の分割コア８が１列に連接された状態で、各分割コア８に対して、インシュレータ９が装着される。
【００３１】
図５に示すように、インシュレータ９は、絶縁性樹脂材料にて成形され、軸方向に２分割された同一形状の第１分割インシュレータ１０と第２分割インシュレータ２０がそれぞれ分割コア８の数だけ連結されて構成されている。一方、第１分割インシュレータ１０は、軸方向一側から分割コア８に装着される。第２分割インシュレータ２０は、軸方向他側から分割コア８に装着される。
【００３２】
図６（ａ）に示すように、第１分割インシュレータ１０は、ティース部Ｔの軸方向であって一側半分の胴部（延出部分）を被覆するティース部被覆部１１と、分割環状部８ａの軸方向であって一側半分のティース部Ｔ側内側面と軸方向一側の外側面を被覆する環状部被覆部１２を有している。
【００３３】
ティース部被覆部１１は、ティース部Ｔの先端面を露出するように、ティース部Ｔの周方向の両側外側面を被覆する第１及び第２被覆部１１ａ，１１ｂと、第１及び第２被覆部１１ａ，１１ｂ間に形成されティース部Ｔの軸方向一側外側面を被覆する第３被覆部１１ｃから構成されている。
【００３４】
一方、環状部被覆部１２は、ティース部被覆部１１の第１及び第２被覆部１１ａ，１１ｂから分割環状部８ａのティース部Ｔ側内側面を被覆する第１及び第２ヨーク被覆部１２ａ，１２ｂを有している。また、環状部被覆部１２は、ティース部被覆部１１の第３被覆部１１ｃ、及び、第１及び第２ヨーク被覆部１２ａ，１２ｂから反ティース部Ｔ側に延出され、分割環状部８ａの軸方向の一側外側面を覆う第３ヨーク被覆部１２ｃを有している。
【００３５】
第１〜第３ヨーク被覆部１２ａ〜１２ｃからなる環状部被覆部１２は、その全体を軸方向一側方向に延出形成された案内保持壁１３を形成している。案内保持壁１３のティース部Ｔ側の内周面であって、その第３被覆部１１ｃと対応する位置を除く周方向両側部を段差状に反ティース部Ｔ側に切り欠いて段差面１３ａ，１３ｂを形成し、その両段差面１３ａ，１３ｂに間に形成されるティース部Ｔ側に突出する内周面をガイド面１３ｃとしている。
【００３６】
また、周方向両側に形成された両段差面１３ａ，１３ｂには、弛み収納部１４ａ，１４ｂが凹設されている。緩み収納部１４ａ，１４ｂは、それぞれ段差面１３ａ，１３ｂ及び案内保持壁１３の周方向側面が開口するように形成されている。
【００３７】
図６（ｂ）に示すように、第２分割インシュレータ２０は、第１分割インシュレータ１０と同一形状ある。そして、第２分割インシュレータ２０は、ティース部Ｔの軸方向であって他側半分の胴部（延出部分）を被覆するティース部被覆部２１と、分割環状部８ａの軸方向であって他側半分のティース部Ｔ側内側面と軸方向一側の外側面を被覆する環状部被覆部２２を有している。
【００３８】
ティース部被覆部２１は、第１分割インシュレータ１０のティース部被覆部１１と同一形状あることから、そのティース部被覆部１１の第１〜第３被覆部１１ａ〜１１ｃに相当する第１〜第３被覆部２１ａ〜２１ｃを備えている。
【００３９】
一方、環状部被覆部２２は、第１分割インシュレータ１０の環状部被覆部１２と同一形状あることから、その環状部被覆部１２の第１〜第３ヨーク被覆部１２ａ〜１２ｃに相当する第１〜第３ヨーク被覆部２２ａ〜２２ｃを備えている。また、環状部被覆部２２は、環状部被覆部１２の案内保持壁１３、段差面１３ａ、１３ｂ、ガイド面１３ｃ、弛み収納部１４ａ，１４ｂに相当する案内保持壁２３、一対の段差面（図６（ｂ）では一方の段差面２３ａのみ図示）、ガイド面２３ｃ、弛み収納部２４ａ，２４ｂを備えている。
【００４０】
そして、分割コア８に対して、１つの第１分割インシュレータ１０を軸方向一側から、１つの第２分割インシュレータ２０を軸方向他側から装着されることによって、分割コア８は、第１及び第２分割インシュレータ１０，２０、即ち、インシュレータ９にて被覆される。詳述すると、分割コア８は、ティース部Ｔの先端面、分割環状部８ａの径方向外側面、及び、分割環状部８ａの周方向両側面を除いた表面が、インシュレータ９にて被覆される。
【００４１】
図５に示すように、第１分割インシュレータ１０は、分割コア８の数（１２個）だけ設けられ、これらが一列に配置され隣接する第１分割インシュレータ１０同士が回動可能に屈曲する回動連結部１５を介して連結されている。回動連結部１５は、軸直交断面形状が反ティース部Ｔ側に湾曲した円弧状に形成され、周方向に隣接する第１分割インシュレータ１０同士の相対向する案内保持壁１３の周方向端部であって径方向外側縁の間を連結している。
【００４２】
この回動連結部１５にて連結された１２個の第１分割インシュレータ１０は、本実施形態では射出成型機で一度に成形される。そして、回動連結部１５を介して連結された各第１分割インシュレータ１０は、連結された状態で対応する分割コア８に軸方向一側から装着される。
【００４３】
同様に、図５に示すように、第２分割インシュレータ２０も、分割コア８の数（１２個）だけ設けられ、これらが一列に配置され隣接する第２分割インシュレータ２０同士が回動可能に屈曲する回動連結部１５と同形状の回動連結部２５を介して連結されている。この回動連結部２５にて連結された１２個の第２分割インシュレータ２０は、本実施形態では同じく射出成型機で一度に成形される。そして、回動連結部２５を介して連結された各第２分割インシュレータ２０は、連結された状態で対応する分割コア８に軸方向他側から装着される。
【００４４】
これによって、図３に示す一列に連接配置された１２個の分割コア８は、このインシュレータ９（第１及び第２分割インシュレータ１０，２０）によって連結状態とされる。そして、この連結状態において、各回動連結部１５，２５を支点として屈曲させ分割コア８同士を回動させることより、図２に示すように、各ティース部Ｔが径方向内側に向くように１２個の分割コア８は環状化されて、ステータコア７が形成される。
【００４５】
なお、図７に示すように、各回動連結部１５，２５を支点として逆方向に回動させることによって、一列に連接配置された１２個の分割コア８は、各ティース部Ｔが径方向外側に向くように環状化される。これは、後記する各分割コア８のティース部Ｔに巻線を巻回する場合に、各ティース部Ｔが径方向外側に向くように環状化される。
【００４６】
ここで、図２に示すように、インシュレータ９が装着され径方向内側を向いた１２個のティース部Ｔをそれぞれ特定するために、以後、第１〜第１２ティース部Ｔ１〜Ｔ１２という。そして、第１〜第１２ティース部Ｔ１〜Ｔ１２は、周方向反時計回り方向に順番に互いに離間した状態で配置されている。従って、１２個の第１〜第１２ティース部Ｔ１〜Ｔ１２は、周方向に等ピッチ（３０°間隔）に配置されている。そして、これらのティース部Ｔ１〜Ｔ１２に対して、インシュレータ９を介して巻回方向が同じ向きの巻線Ｕ１〜Ｕ４，Ｖ１〜Ｖ４，Ｗ１〜Ｗ４が集中巻にて巻回されている。
【００４７】
なお、分割コア８の数（１２個）だけそれぞれ連結された第１及び第２分割インシュレータ１０，２０は、それぞれ一側端の第１及び第２分割インシュレータ１０，２０が第１ティース部Ｔ１の分割コア８に装着される。また、連結された他側端の第１及び第２分割インシュレータ１０，２０は第１２ティース部Ｔ１２の分割コア８に装着される。そして、両側端の第１及び第２分割インシュレータ１０，２０の間にある各第１及び第２分割インシュレータ１０，２０が、対応する第２〜第１１ティース部Ｔ２〜Ｔ１１の分割コア８にそれぞれ順に装着されている。
【００４８】
第１〜第１２ティース部Ｔ１〜Ｔ１２に巻回された各巻線Ｕ１〜Ｕ４，Ｖ１〜Ｖ４，Ｗ１〜Ｗ４は、それぞれにＵ相、Ｖ相、Ｗ相の３相の内の１相用の巻線となる。図１に示すように、本実施形態では、第１、第４、第７、第１０ティース部Ｔ１，Ｔ４，Ｔ７，Ｔ１０がＵ相用の巻線Ｕ１，Ｕ２，Ｕ３，Ｕ４となる。また、第２、第５、第８、第１１ティース部Ｔ２，Ｔ５，Ｔ８，Ｔ１１がＶ相用の巻線Ｖ１，Ｖ２，Ｖ３，Ｖ４となる。さらに、第３、第６、第９、第１２ティース部Ｔ３，Ｔ６，Ｔ９，Ｔ１２がＷ相の巻線Ｗ１，Ｗ２，Ｗ３，Ｗ４となる。
【００４９】
従って、周方向反時計回り方向に、Ｕ相の巻線Ｕ１→Ｖ相の巻線Ｖ１→Ｗ相の巻線Ｗ１→Ｕ相の巻線Ｕ２→Ｖ相の巻線Ｖ２→Ｗ相の巻線Ｗ２→Ｕ相の巻線Ｕ３→Ｖ相の巻線Ｖ３→Ｗ相の巻線Ｗ３→Ｕ相の巻線Ｕ４→Ｖ相の巻線Ｖ４→Ｗ相の巻線Ｗ４が順番に配置される。
【００５０】
そして、本実施形態では、Ｕ相の各巻線Ｕ１〜Ｕ４について、第１ティース部Ｔ１→第４ティース部Ｔ４→第７ティース部Ｔ７→第１０ティース部Ｔ１０の順番で絶縁被膜した導線Ｌを連続して巻回していくことによって、巻線Ｕ１→巻線Ｕ２→巻線Ｕ３→巻線Ｕ４が順に形成されている。
【００５１】
このとき、Ｕ相の各巻線Ｕ１〜Ｕ４を１つの導線Ｌにて連続して巻回していくことから、第１ティース部Ｔ１と第４ティース部Ｔ４に間、第４ティース部Ｔ４と第７ティース部Ｔ７の間、及び、第７ティース部Ｔ７と第１０ティース部Ｔ１０の間にそれぞれＵ相の渡り線Ｌｕが形成される。そして、図１０に示すように、それら渡り線Ｌｕは、各第１分割インシュレータ１０に形成した案内保持壁１３に沿って配線保持されている。
【００５２】
また、第１ティース部Ｔ１に巻回した巻線Ｕ１（導線Ｌ）の巻き始めの始端部（図示略）は軸方向一側に引き出されるとともに、第１０ティース部Ｔ１０に巻回した巻線Ｕ４（導線Ｌ）の巻き終わりの終端部（図示略）も軸線方向一側に引き出されるようなっている。そして、始端部及び終端部は、図示しないＵ相動力線にそれぞれ接続され、Ｕ相の駆動電源が供給されるようになっている。
【００５３】
同様に、Ｖ相の各巻線Ｖ１〜Ｖ４について、第２ティース部Ｔ２→第５ティース部Ｔ５→第８ティース部Ｔ８→第１１ティース部Ｔ１１の順番で絶縁被膜した導線Ｌを巻回していくことによって、巻線Ｖ１→巻線Ｖ２→巻線Ｖ３→巻線Ｖ４が順に形成されている。
【００５４】
このとき、Ｖ相の各巻線Ｖ１〜Ｖ４を１つの導線Ｌにて連続して巻回していくことから、第２ティース部Ｔ２と第５ティース部Ｔ５に間、第５ティース部Ｔ５と第８ティース部Ｔ８の間、及び、第８ティース部Ｔ８と第１１ティース部Ｔ１１の間にそれぞれＶ相の渡り線Ｌｖが形成される。そして、図１０に示すように、それら渡り線Ｌｖは、各第１分割インシュレータ１０に形成した案内保持壁１３に沿って配線保持されている。
【００５５】
また、第２ティース部Ｔ２に巻回した巻線Ｖ１（導線Ｌ）の巻き始めの始端部（図示略）は軸線方向一側に引き出されるとともに、第１１ティース部Ｔ１１に巻回した巻線Ｖ４（導線Ｌ）の巻き終わりの終端部（図示略）も軸線方向一側に引き出されるようなっている。そして、始端部及び終端部は、図示しないＶ相動力線にそれぞれ接続され、Ｖ相の駆動電源が供給されるようになっている。
【００５６】
同様に、Ｗ相の各巻線Ｗ１〜Ｗ４について、第３ティース部Ｔ３→第６ティース部Ｔ６→第９ティース部Ｔ９→第１２ティース部Ｔ１２の順番で絶縁被膜した導線Ｌを巻回していくことによって、巻線Ｗ１→巻線Ｗ２→巻線Ｗ３→巻線Ｗ４が順に形成されている。
【００５７】
このとき、Ｗ相の各巻線Ｗ１〜Ｗ４を１つの導線Ｌにて連続して巻回していくことから、第３ティース部Ｔ３と第６ティース部Ｔ６に間、第６ティース部Ｔ６と第９ティース部Ｔ９の間、及び、第９ティース部Ｔ９と第１２ティース部Ｔ１２の間にそれぞれＷ相の渡り線Ｌｗが形成される。そして、図１０に示すように、それら渡り線Ｌｗは、各第１分割インシュレータ１０に形成した案内保持壁１３に沿って配線保持されている。
【００５８】
また、第３ティース部Ｔ３に巻回した巻線Ｗ１（導線Ｌ）の巻き始めの始端部（図示略）は軸線方向一側に引き出されるとともに、第１２ティース部Ｔ１２に巻回した巻線Ｗ４（導線Ｌ）の巻き終わりの終端部（図示略）も軸線方向一側に引き出されるようなっている。そして、始端部及び終端部は、図示しないＷ相動力線にそれぞれ接続され、Ｗ相の駆動電源が供給されるようになっている。
【００５９】
次に、ステータコア７の各ティース部Ｔ１〜Ｔ１２にそれぞれの巻線Ｕ１〜Ｕ４，Ｖ１〜Ｖ４，Ｗ１〜Ｗ４を形成する方法を簡単に説明する。
図７に示すように、本実施形態では、巻線の占積率を高くすべく、インシュレータ９にて連結された１２個の分割コア８は、径方向外側に向くように配置された各ティース部Ｔ１〜Ｔ１２に絶縁被膜した導線Ｌを巻回する。
【００６０】
このとき、各ティース部Ｔ１〜Ｔ１２が径方向外側に向くように円環状に配置された分割コア８は、径方向内側に配置された公知の支持装置にて内側から環状に支持される。そして、公知のフライヤーを使って、径方向外側に向いて配置された各ティース部Ｔ１〜Ｔ１２に径方向外側から巻線Ｕ１〜Ｕ４，Ｖ１〜Ｖ４，Ｗ１〜Ｗ４を巻回する。
【００６１】
詳述すると、径方向外側に向くように配置されて各ティース部Ｔ１〜Ｔ１２について、最初に、Ｕ相の巻線Ｕ１〜Ｕ４の巻回が行われる。次に、Ｖ相の巻線Ｖ１〜Ｖ４の巻回が行われる。最後に、Ｗ相の巻線Ｗ１〜Ｗ４の巻回が行われる。
【００６２】
（Ｕ相の巻線Ｕ１〜Ｕ４の形成）
図７に示すように、インシュレータ９にて連結された１２個の分割コア８は、各ティース部Ｔ１〜Ｔ１２が径方向外側に向くように円環状に配置されている。
【００６３】
この状態から、まず、軸線方向一側から第１ティース部Ｔ１と第２ティース部Ｔ２との間に導線Ｌを通す。そして、第１ティース部Ｔ１に導線Ｌを巻回（集中巻）し、同第１ティース部Ｔ１に巻線Ｕ１を形成する。なお、巻線Ｕ１（導線Ｌ）の巻き始めの始端部（図示略）は、第１ティース部Ｔ１と第２ティース部Ｔ２との間から軸線方向一側へ引き出されている。
【００６４】
第１ティース部Ｔ１に巻線Ｕ１が巻回されると、第１２ティース部Ｔ１２と第１ティース部Ｔ１との間から導線Ｌを軸線方向一側に引き出す。軸線方向一側に引き出した導線Ｌは、時計回り方向に渡り線Ｌｕとなって引き回されて、第４ティース部Ｔ４と第５ティース部Ｔ５との間に通される。そして、第４ティース部Ｔ４に導線Ｌを巻回（集中巻）し、同第４ティース部Ｔ４に巻線Ｕ２を形成する。
【００６５】
なお、図７に示すように、第１ティース部Ｔ１の巻線Ｕ１と第４ティース部Ｔ４の巻線Ｕ２との間を引き回される渡り線Ｌｕは、第１〜第４ティース部Ｔ１〜Ｔ４に設けた第１分割インシュレータ１０のガイド面１３ｃに当接して円弧状に引き回されている。
【００６６】
第４ティース部Ｔ４に巻線Ｕ２が巻回されると、第３ティース部Ｔ３と第４ティース部Ｔ４との間から導線Ｌを軸線方向一側に引き出す。軸線方向一側に引き出した導線Ｌは、時計回り方向に渡り線Ｌｕとなって引き回されて、第７ティース部Ｔ７と第８ティース部Ｔ８との間に通される。そして、第７ティース部Ｔ７に導線Ｌを巻回（集中巻）し、同第７ティース部Ｔ７に巻線Ｕ３を形成する。
【００６７】
なお、図７及び図９に示すように、第４ティース部Ｔ４の巻線Ｕ２と第７ティース部Ｔ７の巻線Ｕ３との間を引き回される渡り線Ｌｕは、第４〜第７ティース部Ｔ４〜Ｔ７に設けた第１分割インシュレータ１０のガイド面１３ｃに当接して円弧状に引き回されている。
【００６８】
第７ティース部Ｔ７に巻線Ｕ３が巻回されると、第６ティース部Ｔ６と第７ティース部Ｔ７との間から導線Ｌを軸線方向一側に引き出す。軸線方向一側に引き出した導線Ｌは、時計回り方向に渡り線Ｌｕとなって引き回されて、第１０ティース部Ｔ１０と第１１ティース部Ｔ１１との間に通される。そして、第１０ティース部Ｔ１０に導線Ｌを巻回（集中巻）し、同第１０ティース部Ｔ１０に巻線Ｕ４を形成する。
【００６９】
そして、巻線Ｕ４（導線Ｌ）の巻き終わりの終端部（図示略）が、第９ティース部Ｔ９と第１０ティース部Ｔ１０との間から軸線方向一側へ引き出され、Ｕ相の巻線Ｕ１〜Ｕ４の巻回が終了し、Ｖ相の巻線Ｖ１〜Ｖ４の巻回に移る。
【００７０】
なお、図７に示すように、第７ティース部Ｔ７の巻線Ｕ３と第１０ティース部Ｔ１０の巻線Ｕ４との間を引き回される渡り線Ｌｕは、第７〜第１０ティース部Ｔ７〜Ｔ１０に設けた第１分割インシュレータ１０のガイド面１３ｃに当接して円弧状に引き回されている。
【００７１】
（Ｖ相の巻線Ｖ１〜Ｖ４の形成）
図７に示すように、軸線方向一側から第２ティース部Ｔ２と第３ティース部Ｔ３との間に導線Ｌを通す。そして、第２ティース部Ｔ２に導線Ｌを巻回（集中巻）し、同第２ティース部Ｔ２に巻線Ｖ１を形成する。なお、巻線Ｖ１（導線Ｌ）の巻き始めの始端部（図示略）は、第２ティース部Ｔ２と第３ティース部Ｔ３との間から軸線方向一側へ引き出されている。
【００７２】
第２ティース部Ｔ２に巻線Ｖ１が巻回されると、第１ティース部Ｔ１と第２ティース部Ｔ２との間から導線Ｌを軸線方向一側に引き出す。軸線方向一側に引き出した導線Ｌは、時計回り方向に渡り線Ｌｖとなって引き回されて、第５ティース部Ｔ５と第６ティース部Ｔ６との間に通される。そして、第５ティース部Ｔ５に導線Ｌを巻回（集中巻）し、同第５ティース部Ｔ５に巻線Ｖ２を形成する。
【００７３】
なお、図７に示すように、第２ティース部Ｔ２の巻線Ｖ１と第５ティース部Ｔ５の巻線Ｖ２との間を引き回される渡り線Ｌｖは、第２〜第５ティース部Ｔ２〜Ｔ５に設けた第１分割インシュレータ１０のガイド面１３ｃに当接して円弧状に引き回されている。このＶ相の渡り線Ｌｖは、先にガイド面１３ｃに当接しているＵ相の渡り線Ｌｕに対して、軸線方向一側を周方向に沿って配線されている。
【００７４】
第５ティース部Ｔ５に巻線Ｖ２が巻回されると、第４ティース部Ｔ４と第５ティース部Ｔ５との間から導線Ｌを軸線方向一側に引き出す。軸線方向一側に引き出した導線Ｌは、時計回り方向に渡り線Ｌｖとなって引き回されて、第８ティース部Ｔ８と第９ティース部Ｔ９との間に通される。そして、第８ティース部Ｔ８に導線Ｌを巻回（集中巻）し、同第８ティース部Ｔ８に巻線Ｖ３を形成する。
【００７５】
なお、図７に示すように、第５ティース部Ｔ５の巻線Ｖ２と第８ティース部Ｔ８の巻線Ｖ３との間を引き回される渡り線Ｌｖは、第５〜第８ティース部Ｔ５〜Ｔ８に設けた第１分割インシュレータ１０のガイド面１３ｃに当接して円弧状に引き回されている。このＶ相の渡り線Ｌｖは、先にガイド面１３ｃに当接しているＵ相の渡り線Ｌｕに対して、軸線方向一側を周方向に沿って配線されている。
【００７６】
第８ティース部Ｔ８に巻線Ｖ３が巻回されると、第７ティース部Ｔ７と第８ティース部Ｔ８との間から導線Ｌを軸線方向一側に引き出す。軸線方向一側に引き出した導線Ｌは、時計回り方向に渡り線Ｌｖとなって引き回されて、第１１ティース部Ｔ１１と第１２ティース部Ｔ１２との間に通される。そして、第１１ティース部Ｔ１１に導線Ｌを巻回（集中巻）し、同第１１ティース部Ｔ１１に巻線Ｖ４を形成する。
【００７７】
そして、巻線Ｖ４（導線Ｌ）の巻き終わりの終端部（図示略）が、第１０ティース部Ｔ１０と第１１ティース部Ｔ１１との間から軸線方向一側へ引き出され、Ｖ相の巻線Ｖ１〜Ｖ４の巻回が終了し、Ｗ相の巻線Ｗ１〜Ｗ４の巻回に移る。
【００７８】
なお、図７に示すように、第８ティース部Ｔ８の巻線Ｖ３と第１１ティース部Ｔ１１の巻線Ｖ４との間を引き回される渡り線Ｌｖは、第８〜第１１ティース部Ｔ８〜Ｔ１１に設けた第１分割インシュレータ１０のガイド面１３ｃに当接して円弧状に引き回されている。このＶ相の渡り線Ｌｖは、先にガイド面１３ｃに当接しているＵ相の渡り線Ｌｕに対して、軸線方向一側を周方向に沿って配線されている。
【００７９】
（Ｗ相の巻線Ｗ１〜Ｗ４の形成）
図７に示すように、軸線方向一側から第３ティース部Ｔ３と第４ティース部Ｔ４との間に導線Ｌを通す。そして、第３ティース部Ｔ３に導線Ｌを巻回（集中巻）し、同第３ティース部Ｔ３に巻線Ｗ１を形成する。なお、巻線Ｗ１（導線Ｌ）の巻き始めの始端部（図示略）は、第３ティース部Ｔ３と第４ティース部Ｔ４との間から軸線方向一側へ引き出されている。
【００８０】
第３ティース部Ｔ３に巻線Ｗ１が巻回されると、第２ティース部Ｔ２と第３ティース部Ｔ２との間から導線Ｌを軸線方向一側に引き出す。軸線方向一側に引き出した導線Ｌは、時計回り方向に渡り線Ｌｗとなって引き回されて、第６ティース部Ｔ６と第７ティース部Ｔ７との間に通される。そして、第６ティース部Ｔ６に導線Ｌを巻回（集中巻）し、同第６ティース部Ｔ６に巻線Ｗ２を形成する。
【００８１】
なお、図７に示すように、第３ティース部Ｔ３の巻線Ｗ１と第６ティース部Ｔ６の巻線Ｗ２との間を引き回される渡り線Ｌｗは、第３〜第６ティース部Ｔ３〜Ｔ６に設けた第１分割インシュレータ１０のガイド面１３ｃに当接して円弧状に引き回されている。このＷ相の渡り線Ｌｗは、先にガイド面１３ｃに当接しているＶ相の渡り線Ｌｖに対して、軸線方向一側を周方向に沿って配線されている。
【００８２】
第６ティース部Ｔ６に巻線Ｗ２が巻回されると、第５ティース部Ｔ５と第６ティース部Ｔ６との間から導線Ｌを軸線方向一側に引き出す。軸線方向一側に引き出した導線Ｌは、時計回り方向に渡り線Ｌｗとなって引き回されて、第９ティース部Ｔ９と第１０ティース部Ｔ１０との間に通される。そして、第９ティース部Ｔ９に導線Ｌを巻回（集中巻）し、同第９ティース部Ｔ９に巻線Ｗ３を形成する。
【００８３】
なお、図７に示すように、第６ティース部Ｔ６の巻線Ｗ２と第９ティース部Ｔ９の巻線Ｗ３との間を引き回される渡り線Ｌｗは、第６〜第９ティース部Ｔ６〜Ｔ９に設けた第１分割インシュレータ１０のガイド面１３ｃに当接して円弧状に引き回されている。このＷ相の渡り線Ｌｗは、先にガイド面１３ｃに当接しているＶ相の渡り線Ｌｖに対して、軸線方向一側を周方向に沿って配線されている。
【００８４】
第９ティース部Ｔ９に巻線Ｗ３が巻回されると、第８ティース部Ｔ８と第９ティース部Ｔ９との間から導線Ｌを軸線方向一側に引き出す。軸線方向一側に引き出した導線Ｌは、反時計回り方向に渡り線Ｌｗとなって引き回されて、第１２ティース部Ｔ１２と第１ティース部Ｔ１との間に通される。そして、第１２ティース部Ｔ１２に導線Ｌを巻回（集中巻）し、同第１２ティース部Ｔ１２に巻線Ｗ４を形成する。
【００８５】
そして、巻線Ｗ４（導線Ｌ）の巻き終わりの終端部（図示略）が、第１１ティース部Ｔ１１と第１２ティース部Ｔ１２との間から軸線方向一側へ引き出され、Ｗ相の巻線Ｗ１〜Ｗ４の巻回が終了して、全てのティース部Ｔ１〜Ｔ１２の巻線Ｕ１〜Ｕ４，Ｖ１〜Ｖ４，Ｗ１〜Ｗ４の巻回が完了する。
【００８６】
なお、図７に示すように、第９ティース部Ｔ９の巻線Ｗ３と第１２ティース部Ｔ１２の巻線Ｗ４との間を引き回される渡り線Ｌｗは、第９〜第１２ティース部Ｔ９〜Ｔ１２に設けた第１分割インシュレータ１０のガイド面１３ｃに当接して円弧状に引き回されている。このＷ相の渡り線Ｌｗは、先にガイド面１３ｃに当接しているＶ相の渡り線Ｌｖに対して、軸線方向一側を周方向に沿って配線されている。
【００８７】
図７に示すように、全てのティース部Ｔ１〜Ｔ１２の巻線Ｕ１〜Ｕ４，Ｖ１〜Ｖ４，Ｗ１〜Ｗ４の巻回が完了すると、図８に示すように、ティース部Ｔ１〜Ｔ１２が径方向内側に向くように１２個の分割コア８を円環状にしてステータ３を形成する。
【００８８】
次に、各ティース部Ｔ１〜Ｔ１２が径方向外側から径方向内側に向くよう１２個の分割コア８を環状に配置する原理を簡単に説明する。
図７に示す状態にある円環状に配置された１２個の分割コア８について、第１ティース部Ｔ１と第１２ティース部Ｔ１２は、第１分割インシュレータ１０同士が連結されていないとともに、第２分割インシュレータ２０同士も連結されていない。
【００８９】
従って、円環状に配置された１２個の分割コア８について、第１ティース部Ｔ１の分割コア８を第１２ティース部Ｔ１２の分割コア８から引き離すことができる。
そこで、円筒保持体を有する第１の支持装置（図示略）にて、図７に示す円環状の１２個の分割コア８を径方向内側から支持する。また、第１の支持装置の隣接位置に同じく円筒保持体を有する第２の支持装置（図示略）を配置する。第２の支持装置の円筒保持体は、第１の支持装置の円筒保持体より小径の円筒保持体である。
【００９０】
そして、第１の支持装置に支持されている円環状の１２個の分割コア８の内の第１ティース部Ｔ１の分割コア８を第１２ティース部Ｔ１２の分割コア８から引き離す。このとき、引き離した第１ティース部Ｔ１の分割コア８を、その第１ティース部Ｔ１の先端面が第２の支持装置の円筒保持体に当接するように、第２の支持装置に押さえ付け保持する。
【００９１】
そして、第２の支持装置を第１の支持装置の周りを時計回り方向に周回（公転）させるとともに、時計回り方向に回転（自転）させる。これによって、第１の支持装置の円筒支持体に支持されている円環状の１２個の分割コア８は、第１の支持装置の円筒保持体から順次離間されながら第２の支持装置の円筒支持体に巻き取られる。すなわち、１２個の分割コア８は、ティース部Ｔ１〜Ｔ１２が径方向内側に向いた状態で第２の支持装置の円筒保持体にて円環状に支持される。
【００９２】
そして、図８に示すように、巻線Ｕ１〜Ｕ４，Ｖ１〜Ｖ４，Ｗ１〜Ｗ４が巻回されたティース部Ｔ１〜Ｔ１２が径方向内側に向いたステータ３が形成される。
ここで、図７から図８に示すように、ティース部Ｔ１〜Ｔ１２の向きが径方向外側から径方向内側になると、隣接するティース部Ｔ１〜Ｔ１２の基端部間の距離が縮まる。その結果、Ｕ相、Ｖ相、Ｗ相の渡り線Ｌｕ，Ｌｖ，Ｌｗは、径方向外側に湾曲されていた状態が径方向内側に湾曲され、かつ、弛むことになる。
【００９３】
図１０に示すように、この渡り線Ｌｕ，Ｌｖ，Ｌｗの弛みは、隣接する第１分割インシュレータ１０の案内保持壁１３に形成した弛み収納部１４ａ，１４ｂにて形成される空間に収納され、吸収される。
【００９４】
次に、本実施形態の作用について説明する。
ステータ３の各ティース部Ｔ１〜Ｔ１２に巻線Ｕ１〜Ｕ４，Ｖ１〜Ｖ４，Ｗ１〜Ｗ４を巻回するとき、分割コア８からなるステータコア７を、各ティース部Ｔ１〜Ｔ１２が径方向外側に向く状態に環状化する。このとき、各ティース部Ｔ１〜Ｔ１２が径方向外側に向くことにより、各ティース部間の間隔は広くなり、この広くなった状態で導線Ｌを各ティース部Ｔに巻回することから、占積率の高い巻線が形成される。
【００９５】
そして、各ティース部Ｔ１〜Ｔ１２が径方向外側に向いた状態で、巻線Ｕ１〜Ｕ４，Ｖ１〜Ｖ４，Ｗ１〜Ｗ４が巻回されると、各ティース部Ｔ１〜Ｔ１２が径方向内側に向くように、各分割コア８を環状に配置すれば、ステータ３が形成される。
【００９６】
また、各ティース部Ｔ１〜Ｔ１２が径方向外側に向いた状態で巻線Ｕ１〜Ｕ４，Ｖ１〜Ｖ４，Ｗ１〜Ｗ４を巻回するとき、各相の渡り線Ｌｕ，Ｌｖ，Ｌｗは、各第１分割インシュレータ１０に形成した案内保持壁１３であって段差面１３ａ，１３ｂより突出したガイド面１３ｃに当接して円弧状に引き回されている。このとき、各相の渡り線Ｌｕ，Ｌｖ，Ｌｗは、軸方向に並設した状態で周方向に周方向に引き回されている。
【００９７】
そして、各ティース部Ｔ１〜Ｔ１２が径方向内側に向いた状態になると、図７及び図８から明らかなように、各相の渡り線Ｌｕ，Ｌｖ，Ｌｗは径方向外側に湾曲されていた状態から径方向内側に湾曲された状態になる。
【００９８】
このとき、各ティース部Ｔ１〜Ｔ１２が径方向内側に向いたときの各ティース部Ｔ１〜Ｔ１２の基端部を結ぶ円周は、各ティース部Ｔ１〜Ｔ１２が径方向外側に向いていたときの各ティース部Ｔ１〜Ｔ１２の基端部を結ぶ円周より短くなる。これによって、各相の渡り線Ｌｕ，Ｌｖ，Ｌｗは、弛むことになる。
【００９９】
この弛みは、分割コア８が第２の支持装置の円筒保持体に巻き取られるとき、案内保持壁１３のガイド面１３ｃが周方向両側の段差面１３ａ，１３ｂよりも径方向内側に突出していることから、突出したガイド面１３ｃが各相の渡り線Ｌｕ，Ｌｖ，Ｌｗを段差面１３ａ，１３ｂに形成した弛み収納部１４ａ，１４ｂに導く。これによって、各相の渡り線Ｌｕ，Ｌｖ，Ｌｗの弛みは、隣接する第１分割インシュレータ１０の弛み収納部１４ａ，１４ｂ同士にて形成される空間に収納され、弛み収納部１４ａ，１４ｂから外部にはみ出すことはない。つまり、弛みは、弛み収納部１４ａ，１４ｂ内に吸収される。
【０１００】
次に、上記実施形態の効果を以下に記載する。
（１）本実施形態によれば、第１分割インシュレータ１０に設けた案内保持壁１３の段差面１３ａ，１３ｂに弛み収納部１４ａ，１４ｂを形成し、各相の渡り線Ｌｕ，Ｌｖ，Ｌｗの弛み部分を、その弛み収納部１４ａ，１４ｂ内に収納した。従って、各相の渡り線Ｌｕ，Ｌｖ，Ｌｗの弛み部分を、弛み収納部１４ａ，１４ｂから外部にはみ出すことはなく安定な状態に保持させることができる。
【０１０１】
（２）本実施形態によれば、周方向両側に弛み収納凹部を形成した一対の段差面１３ａ，１３ｂの間に、一対の段差面１３ａ，１３ｂよりも径方向内側に突出したガイド面１３ｃを形成したので、各相の渡り線Ｌｕ，Ｌｖ，Ｌｗの弛み部分をスムーズに弛み収納部１４ａ，１４ｂにスムーズに導くことができる。
【０１０２】
（３）本実施形態によれば、分割コア８の数（１２個）だけ設けられた第１分割インシュレータ１０と、これらを一列に配置し隣接する第１分割インシュレータ１０同士を回動可能に連結する回動連結部１５とを一体成形した。
【０１０３】
また、分割コア８の数（１２個）だけ設けられた第２分割インシュレータ２０と、これらを一列に配置し隣接する第２分割インシュレータ２０同士を回動可能に連結する回動連結部２５とを一体成形した。
【０１０４】
従って、１２個の分割コア８の各々に１つずつ第１及び第２分割インシュレータ１０，２０を装着する手間がなり、１回で１２個の分割コア８全てに第１及び第２分割インシュレータ１０，２０を装着することができる。
【０１０５】
（４）本実施形態によれば、１２個連結した第１分割インシュレータ１０と１２個連結した第２分割インシュレータ２０は、同形状であるため、１つの成型機で成形でき、しかも、部品管理が容易となる。
【０１０６】
上記実施の形態は、以下のように変更してもよい。
・上記実施形態では、第１分割インシュレータ１０と第２分割インシュレータ２０は同一形状に形成したが、第２分割インシュレータ２０において、渡り線Ｌｕ，Ｌｖ，Ｌｗを保持する案内保持壁２３を省略した形状で実施してもよい。
【０１０７】
・上記実施形態では、ステータ３は１２個のティース部Ｔを備えたが、ティース部Ｔの数が１１個以下であったり、１３個以上であったりしてもよい。
・上記実施形態では、回動連結部１５，２５を、軸直交断面形状が反ティース部Ｔ側に湾曲した円弧状に形成したが、屈曲して分割コア８同士を回動可能に連結できれば、軸直交断面形状が直線形状等、どんな形状や構造であってもよい。
【０１０８】
・上記実施形態では、分割コア８は、板状の第１コア片Ｐ１と第２コア片Ｐ２とが交互に積層されて構成されていたが、交互積層ではなくてもよい。その際は、インシュレータや治具で回動させながら連結し組み付ける。
【０１０９】
・上記実施形態では、１つのフライヤーを使って巻線Ｕ１〜Ｕ４、Ｖ１〜Ｖ４、Ｗ１〜Ｗ４の順で巻回したが、３つのフライヤーを使って３相の巻線を同時に巻回してもよい。
【符号の説明】
【０１１０】
１…ブラシレスモータ、２…ハウジング、３…ステータ、４…ロータ、５…回転軸、７…ステータコア、８…分割コア、８ａ…分割環状部、８ｂ，８ｃ…第１及び第２被係合部、９…インシュレータ、１０，２０…第１及び第２分割インシュレータ、１１…ティース部被覆部、１１ａ〜１１ｃ…第１〜第３被覆部、１２…環状部被覆部、１２ａ〜１２ｃ…第１〜第３ヨーク被覆部、１３…案内保持壁、１３ａ，１３ｂ…段差面、１３ｃ…ガイド面、１４ａ，１４ｂ…弛み収納部、１５…回動連結部、２１…ティース部被覆部、２１ａ〜２１ｃ…第１〜第３被覆部、２２…環状部被覆部、２２ａ〜２２ｃ…第１〜第３ヨーク被覆部、２３…案内保持壁、２３ａ…段差面、２３ｃ…ガイド面、２４ａ，２４ｂ…弛み収納部、２５…回動連結部、Ｏ…中心軸線、Ｒ…環状部、Ｔ…ティース部（ティース）、Ｔ１〜Ｔ１２…第１〜第１２ティース部、Ｐ１，Ｐ２…第１及び第２コア片、Ｐ１ａ，Ｐ２ａ…環状片部、Ｐ１ｂ，Ｐ２ｂ…ティース片部、Ｐ１ｃ，Ｐ２ｃ…嵌合凸部、Ｐ１ｄ，Ｐ２ｄ…嵌合凹部、Ｕ１〜Ｕ４，Ｖ１〜Ｖ４，Ｗ１〜Ｗ４…巻線、Ｌ…導線、Ｌｕ，Ｌｖ，Ｌｗ…渡り線。
【図１】
2015109719.tif 000003
【図２】
2015109719.tif 000004
【図３】
2015109719.tif 000005
【図４】
2015109719.tif 000006
【図５】
2015109719.tif 000007
【図６】
2015109719.tif 000008
【図７】
2015109719.tif 000009
【図８】
2015109719.tif 000010
【図９】
2015109719.tif 000011
【図１０】
2015109719.tif 000012